(57)【要約】【課題】この発明は、利用者がかご扉の開動作に確実に対応できるとともに、機種を問わず既設エレベータに簡易に付設できるエレベータのかご扉安全装置を得る。【解決手段】検出装置２および加速度センサ５がかごに取り付けられている。そして、制御装置７は、検出装置２の検出信号からかご扉が閉状態となったことを判定した後、加速度センサ５の検出信号からかごが加速したか否かを判定し、かごが加速したと判定した場合に、スピーカ６を作動させて利用者にかご扉が開動作することを意識付ける第１メッセージをアナウンスさせ、ついで加速度センサ５の検出信号からかごが減速したか否かを判定し、かごが減速したと判定した場合に、スピーカを作動させて利用者にかご扉の開動作への注意を喚起させる第２メッセージをアナウンスさせるように構成されている。【選択図】図２
2008137802.tif 000002
【特許請求の範囲】
【請求項１】
かごに取り付けられて、かご扉の開閉状態を検出するかご扉開閉状態検出手段と、
上記かごに取り付けられて、該かごの加速度を検出するかご加速度検出手段と、
上記かご内の利用者に所望のメッセージをアナウンスするアナウンス手段と、
上記かご扉開閉状態検出手段および上記かご加速度検出手段の検出信号に基づいて上記アナウンス手段を作動させる制御手段と、を備え、
上記制御手段は、上記かご扉開閉状態検出手段の検出信号から上記かご扉が閉状態となったことを判定した後、上記かご加速度検出手段の検出信号から上記かごが加速したか否かを判定し、上記かごが加速したと判定した場合に、上記アナウンス手段を作動させて上記利用者に上記かご扉が開動作することを意識付ける第１メッセージをアナウンスさせ、ついで上記かご加速度検出手段の検出信号から上記かごが減速したか否かを判定し、上記かごが減速したと判定した場合に、上記アナウンス手段を作動させて上記利用者に上記かご扉の開動作への注意を喚起させる第２メッセージをアナウンスさせるように構成されていることを特徴とするエレベータのかご扉安全装置。
【発明の詳細な説明】
【技術分野】
【０００１】
この発明は、利用者にかご扉の開動作への注意を喚起させるメッセージを適切なタイミングでアナウンスするエレベータのかご扉安全装置に関するものである。
【背景技術】
【０００２】
従来のエレベータの自動放送装置は、エレベータ制御装置が出力するドア開信号を入力すると、「ドアにご注意下さい」などのメッセージをアナウンスし、ドアの開動作への注意を利用者に喚起させるようになっている（例えば、特許文献１参照）。
【０００３】
【特許文献１】特開昭６１−１１９５７８号公報
【発明の開示】
【発明が解決しようとする課題】
【０００４】
従来のエレベータの自動放送装置は、エレベータ制御装置が出力するドア開信号を利用してドアの開動作に対する注意をアナウンスしている。そこで、リレー系の旧機種の既設エレベータには自動放送装置を付設できなかった。また、ドアの開動作に対する注意喚起のアナウンスがドアの開動作に合致して、あるいは直前に行われることになり、利用者の注意喚起が遅れ、利用者が対応しにくくなる。
【０００５】
この発明は、上記課題を解決するためになされたもので、既設エレベータの制御装置が出力する信号を用いることなく、利用者へのかご扉の開動作に対する注意喚起をかご扉の開動作に先立ってアナウンスできるようにし、利用者がかご扉の開動作に確実に対応できるとともに、機種を問わず既設エレベータに簡易に付設できるエレベータのかご扉安全装置を得ることを目的とする。
【課題を解決するための手段】
【０００６】
この発明によるエレベータのかご扉安全装置は、かごに取り付けられて、かご扉の開閉状態を検出するかご扉開閉状態検出手段と、上記かごに取り付けられて、該かごの加速度を検出するかご加速度検出手段と、上記かご内の利用者に所望のメッセージをアナウンスするアナウンス手段と、上記かご扉開閉状態検出手段および上記かご加速度検出手段の検出信号に基づいて上記アナウンス手段を作動させる制御手段と、を備えている。そして、上記制御手段は、上記かご扉開閉状態検出手段の検出信号から上記かご扉が閉状態となったことを判定した後、上記かご加速度検出手段の検出信号から上記かごが加速したか否かを判定し、上記かごが加速したと判定した場合に、上記アナウンス手段を作動させて上記利用者に上記かご扉が開動作することを意識付ける第１メッセージをアナウンスさせ、ついで上記かご加速度検出手段の検出信号から上記かごが減速したか否かを判定し、上記かごが減速したと判定した場合に、上記アナウンス手段を作動させて上記利用者に上記かご扉の開動作への注意を喚起させる第２メッセージをアナウンスさせるように構成されている。
【発明の効果】
【０００７】
この発明によれば、制御装置が、かごに取り付けられたかご扉開閉状態検出手段とかご加速度検出手段の検出信号に基づいてアナウンス手段を作動させ、かご内の利用者に所望のメッセージをアナウンスしているので、機種を問わず、既設エレベータに付設できる。
また、かご扉が閉じた後、かご加速度検出手段の検出信号からかごの加速を判断して、かごが昇降運転を開始したと判定し、利用者にかご扉が開動作することを意識付ける第１メッセージをアナウンスしている。そこで、かご内の利用者は、かご扉から離れていようと意識付けされる。さらに、かご加速度検出手段の検出信号からかごの減速を判断して、かごの着床が近づいたと判定し、利用者にかご扉の開動作に対する注意を喚起させる第２メッセージをアナウンスしている。そこで、利用者は、かご扉の開動作が近づいたことを実感し、かご扉の開動作が始まる前に、かご扉から速やかに離れることができる。
【発明を実施するための最良の形態】
【０００８】
以下、本願の実施例を図面に基づいて説明する。
実施の形態１．
図１はこの発明の実施の形態１に係るかご扉安全装置を搭載したエレベータを模式的に示す側面図、図２はこの発明の実施の形態１に係るかご扉安全装置を示す構成図、図３はこの発明の実施の形態１に係るかご扉安全装置の動作を説明する図であり、図３の（ａ）はかご扉の開状態を示し、図３の（ｂ）はかご扉の全閉状態を示している。図４はこの発明の実施の形態１に係るかご扉安全装置の動作フロー図である。なお、図４中では、便宜上、ステップ１００〜１０５をＳ１００〜１０５としている。
【０００９】
図１乃至図３において、かご扉安全装置１は、かご扉１３の開閉状態を検出するかご扉開閉状態検出手段としての検出装置２と、かご１０の加速度を検出するかご加速度検出手段としての加速度センサ５と、アナウンス手段としてのスピーカ６と、ＣＰＵ、ＣＰＵの動作プログラムやメッセージなどのデータが格納されたＲＯＭ、ＣＰＵにより検出装置２や加速度センサ５の検出信号から算出されたデータを一時的に格納するＲＡＭ、タイマーなどを備えたマイクロコンピュータで構成され、検出装置２および加速度センサ５からの検出信号に基づいてスピーカ６を作動し、所定のメッセージをアナウンスさせる制御手段としての制御装置７と、を備えている。
【００１０】
ここで、エレベータのかご１０は、かご室１１、かご室１１の出入り口を構成する三方枠１２、かご室１１の出入り口を開閉するかご扉１３、かご扉１３を開閉駆動する戸開閉機構（図示せず）などを備えており、エレベータ制御装置（図示せず）により昇降路内を昇降運転される。
【００１１】
検出装置２は、かご扉１３の上端面に立設された作動レバー４と、三方枠１２の上枠上に配設されたスイッチ部３と、を備えている。
そして、図３の（ａ）に示されるように、かご扉１３が開けられている状態では、作動レバー４はスイッチ部３から離間し、スイッチ部３は開成状態となる。また、図３の（ｂ）に示されるように、かご扉１３が全閉の状態では、作動レバー４がスイッチ部３を押圧してスイッチ部３を閉成状態にする。この時、スイッチ部３は、ＯＮ信号を出力する。そして、制御装置７はこのＯＮ信号を受信し、かご扉１３が閉状態であると判定する。
【００１２】
このように構成されたかご扉安全装置１の動作について図４を参照しつつ説明する。
まず、制御装置７は、検出装置２の検出信号を受信して、かご扉１３が開放状態か否かを判定する（ステップ１００）。そして、ステップ１００において、かご扉１３が開放状態であると判定されると、ステップ１０１に移行し、検出装置２の検出信号からかご扉１３が閉じられたか否かを判定する。ステップ１０１において、かご扉１３が閉じられたと判定されると、ステップ１０２に移行し、加速度センサ５の検出信号を受信して、かご１０が加速したか否かを判定する。ステップ１０２において、かご１０が加速したと判定されると、スピーカ６を作動して、かご１０内に第１メッセージをアナウンスし（ステップ１０３）、ステップ１０４に移行する。ステップ１０４では、加速度センサ５の検出信号を受信して、かご１０が減速したか否かを判定する。ステップ１０４において、かご１０が減速したと判定されると、ステップ１０５に移行し、スピーカ６を作動して、かご１０内に第２メッセージをアナウンスする。
【００１３】
ここで、第１メッセージは、かご扉１３が開動作することを利用者に意識付けるもので、例えば「ドアから離れてお待ち下さい。」のようなメッセージを用いることができる。また、第２メッセージは、かご扉１３の開動作に対する注意を利用者に喚起させるもので、例えば「まもなくドアが開きます。ご注意下さい。」のようなメッセージを用いることができる。
【００１４】
そこで、かご扉安全装置１が搭載されたかご１０に乗り込んだ利用者は、かご扉１３が閉じられ、かご１０の昇降運転が開始されると、例えば「ドアから離れてお待ち下さい。」のメッセージを受ける。これにより、利用者は、かご扉１３が開動作することを再確認し、自然にかご扉１３から離れるようになる。
また、かご１０が減速し、着床階に近づくと、利用者は、例えば「まもなくドアが開きます。ご注意下さい。」のメッセージを受ける。これにより、利用者は、まもなくかご１０が着床して、かご扉１３が開けられることを認識し、開動作するかご扉１３に対する注意が強く喚起され、かご扉１３から速やかに離れるようになる。
【００１５】
このように、実施の形態１によれば、かご扉１３の開閉状態を検出する検出装置２をかご１０に取り付け、かご１０の加速／減速を検出する加速度センサ５をかご１０に取り付、制御装置７が検出装置２および加速度センサ５の検出信号に基づいてスピーカ６を作動させている。そこで、かご扉安全装置１の動作に、エレベータの運行を制御するためのエレベータ制御装置の制御信号が必要とならず、既設のエレベータの機種に拘わらず簡易にかご扉安全装置１を付設することができる。
また、かご扉１３の開状態から全閉状態に移行した後、加速度センサ５からの検出信号をモニターするようにしているので、アナウンスの誤動作が回避される。
【００１６】
また、かご１０の昇降運転開始時に、利用者にかご扉１３が開動作することを意識付ける第１メッセージがアナウンスされ、かご１０の昇降運転終了間際に、利用者にかご扉１３の開動作に対する注意を喚起させる第２メッセージがアナウンスされるので、かご扉１３の開動作に対する注意が利用者に確実に喚起される。そこで、かご扉１３の開動作時に、利用者の荷物などが引き込まれるようなことが未然に防止される。
また、かご１０が減速したときに、利用者にかご扉１３の開動作への注意を喚起させる第２メッセージがアナウンスされるので、利用者は、かご１０がまもなく着床し、かご扉１３が開けられることを予期できる。そこで、かご扉１３の開動作時に、利用者の荷物などが引き込まれるようなことが確実に防止される。
【００１７】
実施の形態２．
図５はこの発明の実施の形態２に係るかご扉安全装置を示す構成図、図６はこの発明の実施の形態２に係るかご扉安全装置の動作を説明する図であり、図６の（ａ）はかご扉の開状態を示し、図６の（ｂ）はかご扉の全閉状態を示している。
【００１８】
図５および図６において、かご扉安全装置１Ａは、かご扉１３の開閉状態を検出するかご扉状態検出手段としての検出装置２Ａと、かご１０の加速度を検出するかご加速度検出手段としての加速度センサ５と、アナウンス手段としてのスピーカ６と、検出装置２Ａおよび加速度センサ５からの検出信号に基づいてスピーカ６を作動し、所定のメッセージをアナウンスさせる制御装置７と、を備えている。検出装置２Ａは、ＬＥＤなどの発光素子８ａと、フォトダイオードなどの受光素子８ｂと、を備えている。そして、検出装置２Ａは、発光素子８ａから出射された光が開閉動作するかご扉１３のかご室側壁面で反射して受光素子８ｂに受光されるように、かご室１１の三方枠１２の一側の縦枠の外方に取り付けられている。
なお、他の構成は、上記実施の形態１と同様に構成されている。
【００１９】
この実施の形態２では、図６の（ａ）に示されるように、かご扉１３が開けられているときは、発光素子８ａから出射された光がかご扉１３のかご室側壁面で反射され、受光素子８ｂに受光される。そして、図６の（ｂ）に示されるように、かご扉１３が全閉状態のときは、かご扉１３は発光素子８ａから出射された光の光路から外れており、発光素子８ａから出射された光は受光素子８ｂで受光されない。そこで、検出装置２Ａは、受光素子８ｂが受光していない状態でＯＮ信号を出力する。そして、制御装置７はこのＯＮ信号を受信し、かご扉１３が閉状態であると判定する。
従って、この実施の形態２においても、上記実施の形態１と同様の効果が得られる。
【００２０】
なお、上記実施の形態１，２では、機械式の検出装置２あるいは光学式の検出装置２Ａを用いるものとしているが、検出装置の検出方式は機械式や光学式に限定されるものではなく、例えば磁気式でもよい。
【図面の簡単な説明】
【００２１】
【図１】この発明の実施の形態１に係るかご扉安全装置を搭載したエレベータを模式的に示す側面図である。
【図２】この発明の実施の形態１に係るかご扉安全装置を示す構成図である。
【図３】この発明の実施の形態１に係るかご扉安全装置の動作を説明する図である。
【図４】この発明の実施の形態１に係るかご扉安全装置の動作フロー図である。
【図５】この発明の実施の形態２に係るかご扉安全装置を示す構成図である。
【図６】この発明の実施の形態２に係るかご扉安全装置の動作を説明する図である。
【符号の説明】
【００２２】
１，１Ａ  かご扉安全装置、２，２Ａ  検出装置（かご扉開閉状態検出手段）、５  加速度センサ（かご加速度検出手段）、６  スピーカ（アナウンス手段）、７  制御装置（制御手段）、１０  かご、１１  かご室、１２  三方枠、１３  かご扉。
【図１】
2008137802.tif 000003
【図２】
2008137802.tif 000004
【図３】
2008137802.tif 000005
【図４】
2008137802.tif 000006
【図５】
2008137802.tif 000007
【図６】
2008137802.tif 000008